(57)【特許請求の範囲】
【請求項１】
透光石縦幅に合わせて所定長の支持アームを突き出しの反射面を有する間柱を該透光石横幅に合わせて上、下梁部材間に立設し、上記支持アーム先端位置には透光石交点位置にて交差の支持基盤用タテ、ヨコＰＣ鋼棒を張架設し、当該支持アーム先端にフランジ接合を介して石受金物を継ぎ足しするに際し、当該フランジ突き合い面に形成のＰＣ鋼棒嵌合溝に該ＰＣ鋼棒のタテ、ヨコ交差部をはさみ込んでなすとして該石受金物の透光石交点位置への固定をなし、１の透光石を隣接する石受金物と共同でフック吊り、かつ、フック掛けにて支持するとしたことを特徴とする透光性壁の構築工法。
【請求項２】
間柱を表面反射加工の断面円形のパイプ材とした請求項１記載の透光性壁の構築工法。
【請求項３】
支持アーム、石受金物、ＰＣ鋼棒等の間柱以外の部材にも細身化、断面円形化、表面反射加工を施した請求項２記載の透光性壁の構築工法。
【発明の詳細な説明】
【０００１】
【発明の属する技術分野】
本発明は、例えばチャペル光壁の如き屋内にて採光窓からの採光を背に背後から透光させながら視認される種類の透光性壁の構築工法に関する。
【０００２】
【従来の技術】
叙上透光性壁は、透光性の石等のパネル群を屋内にて支持して構築される。従前、この透光性石の支持は、例えばファーリング壁等、大理石ねむり目地の施工の例に準じてなされる。すなわち図９において、所定間隔のもとに立設列配のＨ型鋼の間柱１の外面にＬ型鋼４のサポートを受けた胴縁のＣ型鋼２がボルト締結止め３され、当該Ｃ型鋼２の開口には上端に水平部５ａを配した縦長孔を有するＬ型鋼５が裏板６を介してボルト締結７されている。
【０００３】
上記水平部５ａには先端に上下方向に伸びるフックピン８を一体設のプレート９の基部がボルト締結１０され、かつ、当該圧着部には該Ｃ型鋼２に対しての該プレート９のレベル調整をするためのアジャスターボルト１１が縦貫設されている。上、下の大理石１２、１２′は上端に挿入用の削りを加えたうえ上記のフックピン８を受け入れするボタ穴１３、１３′を穿設してあり、上位の大理石１２を受止すると共に引掛け、下位の大理石１２′の上端を引掛ける。
【０００４】
【発明が解決しようとする課題】
叙上の如く間柱１、Ｃ型鋼２の石下地は、胴縁より持ち出しのフックピン８を有するプレート９の先端で石を受止すると共に引掛けで支持するものであるために、石の裏側に近接せざるを得ない。このため、透光性の大理石１２には下地（格子状）の影が写り、興醒めするものにならざるを得ない。
【０００５】
本発明は、叙上の事情に鑑みなされたもので、その目的とするところは、下地の影を完全に消すことのできる透光性壁の構築工法を提供することにある。
【０００６】
【課題を解決するための手段】
上記目的を達成するために、本発明の透光性壁の構築工法は、透光石縦幅に合わせて所定長の支持アームを突き出しの反射面を有する間柱を該透光石横幅に合わせて上、下梁部材間に立設し、上記支持アーム先端位置には透光石交点位置にて交差の支持基盤用タテ、ヨコＰＣ鋼棒を張架設し、当該支持アーム先端にフランジ接合を介して石受金物を継ぎ足しするに際し、当該フランジ突き合い面に形成のＰＣ鋼棒嵌合溝に該ＰＣ鋼棒のタテ、ヨコ交差部をはさみ込んでなすとして該石受金物の透光石交点位置への固定をなし、１の透光石を隣接する石受金物と共同でフック吊り、かつ、フック掛けにて支持するとしたものである。
【０００７】
【作用】
胴縁が無く、かつ、支持アームと石受金物を介して透光石より離れて位置する反射面を有する最大径を有して影の原因となる間柱は、透光石との離隔距離が大なるため、豊富な柱間を抜けて拡がる当射斜光、反射面からの散乱光等の干渉によって透光石に写る自らの影を有効に消し去る。より透光石に接近して位置する細身に構成される支持アーム、石受金物、さらにはＰＣ鋼棒にあっては尚更のことその影は消し去られる。
【０００８】
【発明の実施の形態】
本発明の実施の形態を図１〜８に基づいて説明する。
【０００９】
図１において、１４はフレームのない大理石グリーンオニックス（６００口、ｔ＝１８mm、１７kg／枚）より成るチャペル光壁を示し、側柱１５、１５′、壇１６、アーチ１７から覗いている。背後には支持アーム１８、石受金物１９を介して離反位置に該支持アーム１８を突き出しの反射面を有した間柱２０が立設している。
【００１０】
さらに、該支持アーム１８と石受金物１９との接合部にはタテ、ヨコに張架設のＰＣ鋼棒２１がその交差部を一体に組み込んで取り付いており、結局、タテ、ヨコのＰＣ鋼棒２１という極めて細身の格子体にて石受金物１９は支持されるものとなって最大の影の生成因の間柱２０が離反することから影を写し難いものとしている。図中２２は間柱２０の背後の採光窓を示す。
【００１１】
図２、３に石受金物１９の取付基盤たる間柱２０とＰＣ鋼棒２１の架構が示される。すなわち、図２に示される如く、間柱２０は上、下梁部材２３、２４間に胴縁無しにて立設されている。
【００１２】
一方、間柱２０よりも前方にはもう１つの支持基盤たるタテ、ヨコのＰＣ鋼棒２１は、図３に詳示される如く、Ｈ型鋼等の止着基盤２５にＰＣ鋼棒端部を止着２６，…して張設されている。
【００１３】
間柱２０、ＰＣ鋼棒２１の取り付け、止着の詳細は図４、５に示される。すなわち、間柱２０下端は梁鋼２７にフランジ２０ａをボルト締結２８し、上端は蓋２０ｂより立ち上げの取付プレート２０ｃと上梁部材より垂下の取付プレート２９にアジャスト用のタテ、ヨコ長孔を介してボルト締結３０している。間柱２０は細身で強度を有し反射面でより光を散乱させるべく断面円形のステンレスパイプ（ヘヤライン仕上げ）とすると良い。透光石の縦幅間隔に合わせて間柱２０から溶接突き出しの支持アーム１８は、前述の間柱２０と同じ理由から表面反射加工の断面円形のステンレスパイプ（ヘヤライン仕上げ）とすると良い。ＰＣ鋼棒２１は、Ｈ型鋼の止着基盤２５にその端部をナット止めの止着２６にて張設する。なお、ＰＣ鋼棒２１にも表面反射加工を施すを良しとする。
【００１４】
図６に支持アーム１８と石受金物１９とＰＣ鋼棒２１とを一体に組込んだ接合態様とこれらの接続で構成の支持機構全体が示される。支持アーム１８と石受金物１９とはフランジ１８ａと１９ａとの接合で継ぎ足しされるが、当該フランジ１８ａ、１９ａには夫々タテ、ヨコ用のＰＣ鋼棒２１嵌合溝１８ｂ、１９ｂが形成されており、これにＰＣ鋼棒２１の交差部を嵌めてから接合（ボルト締結）すると、自動的に石受金物１９をＰＣ鋼棒２１のタテ、ヨコ交差点、つまり、大理石グリーンオニックス１４′，…の交点に位置決めして吊り支持することになる。
【００１５】
この前方支持点の存在は石受金物１９先端より突き出される吊りフック３１、引掛けフック３２による大理石グリーンオニックス１４′の安定支持を保証している。当該支持の詳細は図７、８に示される。すなわち、石受金物１９のパイプ状基部１９ｃ先端には両側端にナット部１９ｅを突き出した水平翼部材１９ｄがビス止め３３され、その両翼部に穿孔の透孔には吊りフック３１、３１が、該ナット部１９ｅ、１９ｅには引掛けフック３２、３２が夫々アジャスト機構（ネジ）を介して装着されており、相隣る大理石グリーンオニックス１４′、１４′の夫々に係止される。図中３４、３４は上、下の大理石グリーンオニックス１４′、１４′整合用のキーピン用ダボである。
【００１６】
石受金物１９についても細身化、表面反射加工は有意義である。
【００１７】
【発明の効果】
以上の如く本発明は構成されるので、以下の如き効果を奏する。
【００１８】
透光石をフレーム無しにて１枚毎に可撓材を介して吊るため、視覚的に好適で、両面の層間変位に追従する柔軟な機構となる。メインの下地が透光石から離反するうえに、細身、部材の表面反射で影を消すのに必要な侵入光、散乱光が豊富のため、影を生じることがない。
【図面の簡単な説明】
【図１】ａ、ｂ、ｃは本発明の実施例を示す大理石グリーンオニックスより成るチャペル光壁の正面、側面、平面図である。
【図２】本発明光壁の側面視図である。
【図３】本発明光壁の正面側部図である。
【図４】ａ、ｂは本発明光壁の間柱の取付構造を示す正、側面図である。
【図５】本発明光壁のタテ、ヨコＰＣ鋼棒架構の端部止着説明図である。
【図６】ａ、ｂは本発明光壁の支持機構の正面図、側面図である。
【図７】本発明光壁の石受金物の側面図である。
【図８】本発明光壁の石受金物の平面図である。
【図９】従来の光壁構築手段の説明図である。
【符号の説明】
１    間柱
２    Ｃ型鋼
３    ボルト締結止め
４    Ｌ型鋼
５    Ｌ型鋼
５ａ  水平部
６    裏板
７    ボルト締結
８    フックピン
９    プレート
１０  ボルト締結
１１  アジャスターボルト
１２  大理石
１３  ボタ穴
１４  大理石グリーンオニックス
１５  側柱
１６  壇
１７  アーチ
１８  支持アーム
１８ａ  フランジ
１８ｂ  嵌合溝
１９  石受金物
１９ａ  フランジ
１９ｂ  嵌合溝
１９ｃ  パイプ状基部
１９ｄ  水平翼部材
１９ｅ  ナット部
２０  間柱
２０ａ  フランジ
２０ｂ  蓋
２０ｃ  取付プレート
２１  ＰＣ鋼棒
２２  採光窓
２３  上梁部材
２４  下梁部材
２５  止着基盤
２６  止着
２７  梁鋼
２８  ボルト締結
２９  取付プレート
３０  ボルト締結
３１  吊りフック
３２  引掛けフック
３３  ビス止め
３４  キーピン用ダボ
【図１】
0003858957.tif 000002
【図２】
0003858957.tif 000003
【図３】
0003858957.tif 000004
【図４】
0003858957.tif 000005
【図５】
0003858957.tif 000006
【図６】
0003858957.tif 000007
【図７】
0003858957.tif 000008
【図８】
0003858957.tif 000009
【図９】
0003858957.tif 000010